(57)【要約】      （修正有）【課題】公共施設だけでなく一般家庭においても、簡単に、且つ安価に設置できる監視カメラ、及び、監視カメラを用いた監視システムを提供する。【解決手段】天井に取付けて撮像する監視カメラであって、内部に撮像手段を備えるカメラ本体１０と、天井Ｓに位置する照明器具の給電ソケット２に接続される接続プラグ３と、カメラ本体を接続プラグと接続し、かつカメラ本体の位置を調整可能に支持する接続部１７とを備える。また、カメラ本体からの映像信号および／または音声信号を送信する送信機と、カメラ本体から映像信号を受信し、および／またはカメラ本体への音声信号を送受信可能とする受信機とを備える。【選択図】図２
0003187773.tif 000002
【実用新案登録請求の範囲】
【請求項１】
天井に取付けて撮像する監視カメラであって、
内部に撮像手段を備えるカメラ本体と、
前記天井に位置する照明器具の給電ソケットに接続される接続プラグと、
前記カメラ本体を前記接続プラグと接続し、かつ前記カメラ本体の位置調整を可能に支持する接続部と、
を備えることを特徴とする監視カメラ。
【請求項２】
前記カメラ本体に、撮像動作中を表示するＬＥＤ表示灯を設けることを特徴とする請求項１に記載の監視カメラ。
【請求項３】
請求項１乃至２の何れかに記載の監視カメラと、前記カメラ本体からの映像信号および／または音声信号を送信する送信機と、前記カメラ本体から前記映像信号を受信し、および/または前記カメラ本体への音声信号を送受信可能とする受信機と、
を備えることを特徴とする監視カメラシステム。
【請求項４】
前記受信機として、携帯通信端末を用いることを特徴とする請求項３に記載の監視カメラシステム。
【請求項５】
無線通信により前記携帯通信端末と通信し、
前記携帯通信端末にインストールされたアプリケーションソフトウェアを起動することにより、該携帯通信端末の操作により、前記監視カメラシステムの操作を可能とすることを特徴とする請求項３乃至請求項４に記載の監視カメラシステム。
【請求項６】
電源コンセントに直接取付けて撮像する監視カメラであって、
内部に撮像手段を備えるカメラ本体と、
前記電源コンセントに直接接続される接続プラグと、
前記カメラ本体を前記接続プラグと接続し、かつ前記カメラ本体の位置調整を可能に支持する接続部と、
を備えることを特徴とする監視カメラ。
【請求項７】
前記カメラ本体に、撮像動作中を表示するＬＥＤ表示灯を設けることを特徴とする請求項６に記載の監視カメラ。
【請求項８】
請求項６乃至７の何れかに記載の監視カメラと、前記カメラ本体からの映像信号および／または音声信号を送信する送信機と、前記カメラ本体から前記映像信号を受信し、および/または前記カメラ本体への音声信号を送受信可能とする受信機と、
を備えることを特徴とする監視カメラシステム。
【請求項９】
前記受信機として、携帯通信端末を用いることを特徴とする請求項８に記載の監視カメラシステム。
【請求項１０】
無線通信により前記携帯通信端末と通信し、
前記携帯通信端末にインストールされたアプリケーションソフトウェアを起動することにより、該携帯通信端末の操作により、前記監視カメラシステムの操作を可能とすることを特徴とする請求項８乃至請求項９に記載の監視カメラシステム。
【考案の詳細な説明】
【技術分野】
【０００１】
本考案は、防犯等のために天井等に設置して使用する監視カメラに関するものである。
【背景技術】
【０００２】
従来、撮像手段（例えば、ＣＣＤ又はＣ−ＭＯＳカメラ）を内蔵して人物の撮像・監視を行う監視カメラは、金融機関、会社、美術館等の厳重なセキュリティの確保が要求される公共施設において普及しているが、近年、このような施設のみならず、一般家庭（特に、マンション）内においても設置されるようになってきている。
そして、係る監視カメラの設置にあっては、例えば、特許文献１に開示されているように、固定金具とカメラの画角調整用の可動金具（水平用、垂直用）を用いて天井や壁面高所にネジ止めにて取り付ける方法が一般的であった。
【先行技術文献】
【特許文献】
【０００３】
【特許文献１】特開２００９−１３５６７１号公報
【考案の概要】
【考案が解決しようとする課題】
【０００４】
ところが、従来の監視カメラ取り付け機構は、構造が複雑でコスト高となり、且つ、高所での取り付け作業は、手間と労力を有するものであり、また、可動金具による監視カメラの位置調整（パン調整とチルト調整）も容易ではなかった。これに加え、監視カメラの設置に際し、電力供給のためのカメラ用電源コードの引き込み作業も必要であり、場合によっては、天井に監視カメラを設置するための孔を設ける必要もあった。
従って、何らかの理由で、監視カメラの設置位置を変更したい場合は、上記同様の作業が必要であるため、一旦設置された監視カメラの監視状態を変更するのも容易ではなかった。
【０００５】
本考案は、上記問題点に鑑みなされたもので、公共施設だけでなく一般家庭においても、簡単に、且つ安価に設置できる監視カメラ、及び、該監視カメラを用いた監視システムを提供することを目的としている。
【課題を解決するための手段】
【０００６】
すなわち、本考案の監視カメラは、天井に取付けて撮像する監視カメラであって、内部に撮像手段を備えるカメラ本体と、前記天井に位置する照明器具の給電ソケットに接続される接続プラグと、前記カメラ本体を前記接続プラグと接続し、かつ前記カメラ本体の位置調整を可能に支持する接続部と、を備えることを特徴とする。
【０００７】
更に本考案の監視カメラは、前記カメラ本体に、撮像動作中を表示するＬＥＤ表示灯を設けることを特徴とする。
【０００８】
更に本考案のカメラシステムは、前記監視カメラと、前記カメラ本体からの映像信号および／または音声信号を送信する送信機と、前記カメラ本体から前記映像信号を受信し、および/または前記カメラ本体への音声信号を送受信可能とする受信機と、
を備えることを特徴とする。
【０００９】
更に本考案のカメラシステムは、前記受信機として、携帯通信端末を用いることを特徴とする。
【００１０】
更に本考案のカメラシステムは、無線通信により前記携帯通信端末と通信し、前記携帯通信端末にインストールされたアプリケーションソフトウェアを起動することにより、該携帯通信端末の操作により、前記監視カメラシステムの操作を可能とすることを特徴とする。
【００１１】
本考案は、電源コンセントに直接取付けて撮像する監視カメラであって、内部に撮像手段を備えるカメラ本体と、前記電源コンセントに直接接続される接続プラグと、前記カメラ本体を前記接続プラグと接続し、かつ前記カメラ本体の位置調整を可能に支持する接続部を備えることを特徴とする。
【００１２】
更に、本考案は、前記カメラ本体に、撮像動作中を表示するＬＥＤ表示灯を設けることを特徴とする。
【００１３】
更に本考案の監視カメラシステムは、前記監視カメラと、前記カメラ本体からの映像信号および／または音声信号を送信する送信機と、前記カメラ本体から前記映像信号を受信し、および/または前記カメラ本体への音声信号を送受信可能とする受信機とを備えることを特徴とする。
【００１４】
更に本考案の監視カメラシステムは、前記受信機として、携帯通信端末を用いることを特徴とする。
【００１５】
更に本考案の監視カメラシステムは、無線通信により前記携帯通信端末と通信し、前記携帯通信端末にインストールされたアプリケーションソフトウェアを起動することにより、該携帯通信端末の操作により、前記監視カメラシステムの操作を可能とすることを特徴とする。
【考案の効果】
【００１６】
本考案によれば、既設の照明器具の給電ソケットを利用することにより、監視カメラの天井への設置と監視カメラへの電力供給を同時に行うことが可能であり、監視カメラの新設や設置位置の変更に対して簡単、且つ安価に対応することができる。
【００１７】
また、本考案によれば、既設の電源コンセントに直接監視カメラを設置することで、監視カメラの設置と、電力供給を同時に行うことが可能であり、監視カメラの新設や設置位置の変更に対して簡単、且つ安価に対応することができる。
また、接続部によりカメラ本体のパン調整とチルト調整を可能とするので、ユーザの所望する撮像範囲を簡単に設定することができる。
【図面の簡単な説明】
【００１８】
【図１】本考案に係る監視カメラの正面図である。
【図２】監視カメラの設置状態を示す概略図である。
【図３】受信機と無線通信を可能とする送信機４０の回路構成を示すブロック図である。
【図４】送信機４０から送信された無線を受信する受信機６０の回路構成を示すブロック図である
【図５】電源コンセントに直接接続する監視カメラの正面図である。
【図６−ａ】電源線を内蔵した監視カメラの正面図である。
【図６−ｂ】電源線を内蔵した監視カメラの設置状態を示す概略図である。
【図７−ａ】接続部にボールジョイントとし、固定ノブで調整可能とした監視カメラの正面図である。
【図７−ｂ】接続部にボールジョイントとし、固定ノブで調整可能とした監視カメラの設置状態を示す概略図である。
【図８−ａ】接続部のボールジョイントを増やし、多関節とした監視カメラの正面図である。
【図８−ｂ】接続部のボールジョイントを増やし、多関節とした監視カメラの設置状態を示す概略図である。
【図９−ａ】接続部をブラケット固定とした監視カメラの正面図である。
【図９−ｂ】接続部をブラケット固定とした監視カメラの側面図である。
【図１０−ａ】接続部を片持ちブラケット固定とした監視カメラの正面図である。
【図１０−ｂ】接続部を片持ちブラケット固定とした監視カメラの側面図である。
【図１０−ｃ】接続部を片持ちブラケット固定とした監視カメラの設置状態を示す概略図である。
【図１１−ａ】カメラ本体をドーム状とした監視カメラの正面図である。
【図１１−ｂ】カメラ本体をドーム状とした監視カメラの側面図である。
【図１１−ｃ】カメラ本体をドーム状とした監視カメラの設置状態を示す概略図である。
【実施例１】
【００１９】
以下、図１〜図２に基づいて、本考案に係る実施の形態を説明する。
【００２０】
先ず、図１を用いて本考案の監視カメラの構成について説明する。
図１は本考案に係る監視カメラ２０の正面図である。
図中の符号１１は、カメラのレンズであり、１２は照明用ＬＥＤである。５は電源部のケースである。１３はカメラ本体のケーシングである。１４は撮像動作中を表示するＬＥＤ表示灯であり、１５はマイクロホン、１６はスピーカーである。
図２は監視カメラ２０の設置状態を示す概略図であり、符号１は、既に天井Ｓに設置されているシーリング型照明器具としてのダウンライト部を示し、符号２はその給電ソケットである。尚、照明器具（電球）は取り外されている。
【００２１】
また、照明用ＬＥＤ１２は、赤外ＬＥＤとしてもよい。赤外ＬＥＤを使用することで周囲の明るさに左右されず夜でも鮮明な画像を得ることができる。
【００２２】
本考案の監視カメラ２０は、図２に示す通り上記ダウンライト部１の給電ソケット２、給電ソケット２に接続される接続プラグ３、商用電源より所定のＤＣ電圧（本実施例では、ＤＣ５Ｖ）を発生するAC-DC変換回路部４、接続プラグ３とAC-DC変換回路部を内部に収容する電源部ケース５、AC-DC変換回路部で変換された電源をカメラ本体に供給する電源部ケース５とカメラ本体１０を接続し、かつ、カメラ本体１０のパン調整、チルト調整等をする接続部１７等で構成されている。
ここで、パン調整とは、カメラ本体の水平方向の角度調整をいい、チルト調整とはカメラ本体の垂直方向の角度調整をいう。
【００２３】
上記接続部は、本実施例ではボールジョイントから成り、カメラ本体のパン調整、チルト調整は、ボールジョイント固定ナット６を緩め、カメラ本体を所望のパン、チルトで位置決めし、ボールジョイント固定ナット６を締めることで、ボールジョイント固定カバー７が上動すると共にカメラ本体を所望位置に固定する。
【００２４】
上記構成の監視カメラ２０の天井Ｓへの取り付け手順は、以下の通りである。
【００２５】
ダウンライト部の給電ソケット２に接続プラグ３の口金をねじ込んで装着する。
【００２６】
電源部ケース５の下部には、ボールジョイント固定ナット６がネジこまれており、ボールジョイント軸９を回動可能に支持している。カメラ本体ケーシング１３の背面に取り付けられているボールジョイント軸９は、ネジ結合（或いは、カシメ、溶接、接着等の固着手段でも良い）にてカメラ本体１０に固着されている。また、電源コード８（ＤＣ５Ｖ、ＧＮＤの各ライン）は、監視カメラ２０の内部において、図示しない回路基板の電源ラインに接続されている。
【００２７】
また、電源部ケース５は、カメラ本体の軸方向に収縮可能に伸長する構成を有し、カメラ本体１０を所望の高さになるように高さ調節が可能である。
【００２８】
カメラ本体１０は、図示しない撮像部（例えば、ＣＣＤ又はＣ-ＭＯＳカメラ）を内蔵して室内を撮像する部分であり、そのカメラ本体のケーシング１３の正面には、カメラレンズ１１と赤外ＬＥＤ又は照明用ＬＥＤ１２が配設されている。また、この他、カメラ本体のケーシング１３には、撮像動作中を表示するＬＥＤ表示灯１４、マイクロホン１５、スピーカー１６が配設されている。
【００２９】
また、カメラ本体１０内には、撮像データを蓄積するための外部メモリ（一例として、ＳＤカードスロット、ＵＳＢメモリ用スロット等）が搭載されており、該外部メモリを取り外してパーソナルコンピューター等に取込む事により、該メモリに蓄積されている撮像データをパーソナルコンピューター等上に表示できるようにもなっている。
【００３０】
上記した取り付け手順により、本考案の監視カメラ２０は、図２に示すように、既設のダウンライト部１の給電ソケット２を利用して天井Ｓに垂下状態にて設置され、監視カメラ２０の天井Ｓへの取り付けと同時に該監視カメラ２０への電力供給を可能としている。
【００３１】
以上、本実施形態の監視カメラ２０によれば、既設の照明器具１の給電ソケット２を利用することにより、監視カメラ２０の天井Ｓへの設置と監視カメラ２０への電力供給を同時に行うことが可能であり、監視カメラ２０の新設や設置位置の変更に対して簡単、且つ安価に対応することができる。
また、カメラ本体１０をボールジョイントで接続することにより、設置後の監視カメラ２０のパン調整、チルト調整が容易に行えるだけでなく、カメラ本体の微細な傾きの調整をも調整可能となる。
【００３２】
次に、本考案の監視カメラの応用例を示す。
【応用例１】
【００３３】
応用例１は、実施例１の監視カメラ２０で撮像した映像信号および/または音声信号を送信する機能を追加し、無線通信可能な携帯通信端末にアプリケーションソフトウェアをインストールし、これを起動させることによって、該携帯通信端末をモニタ付きの受信機として利用可能としたものである。
監視カメラの構成は実施例１と同様であるため説明は省略する。
【００３４】
携帯通信端末としては、一例として、携帯電話、ＰＨＳ、スマートフォン、ＰＤＡ、タブレット、携帯ゲーム機等が挙げられる。無線通信システムを備え、モニタが付いていればよい。
該携帯通信端末に監視カメラ２０と通信可能とするプログラムソフトウェアをアプリケーションとしてインストールさせる。
【００３５】
該無線通信は、無線ＬＡＮ（Wi-Fi）やブルートゥース等を使用する。
尚、当該信号処理については周知であるので、その詳細については省略する。
【００３６】
図３は、受信機と無線通信を可能とする送信機４０の回路構成を示すブロック図である。
図３において、符号５１は、監視カメラ２０において、カメラ本体部の音声信号を増幅するマイクアンプである。
符号５２はカメラ本体からの画像及び音声信号をデジタル変換するコーデックである。
符号５３はデジタル信号を送受信するトランシーバーである。
符号５４はＢＰＦ（Band Pass Filter）、符号５５はＢＰＦ５４を通過したＲＦ信号を後述する受信機６０に送信する送信アンテナである。
符号５６は、チャンネルＳＷ５７の設定に基づいて変調の際の高周波を２．４〜２．４８３ＧＨｚの周波数範囲で切り替え制御するＭＣＵ（Micro Control Unit）である。
符号５８は、接続プラグ３、AC-DC変換回路部４で給電されたＤＣ５Ｖを元に、所望の制御ＤＣ電圧（例えば、ＤＣ３．３Ｖ、ＤＣ１．８Ｖ）を発生するＡＶＲ（Automatic Voltage Regulator）である。符号５９は受信機６０より送信される音声信号を出力するスピーカーアンプである。
【００３７】
上記した構成要素（電子部品）が実装された基板が図示しないケーシングに収納されて本考案の送信機４０を構成している。
尚、符号８１は、接続プラグ３、AC-DC変換回路部４からの電力供給が遮断された場合（例えば、誤って壁スイッチをオフしてしまった場合）に、該接続プラグ３、AC-DC変換回路部４に代わり、ダイオード８２を介して電力供給を行う電池である。
【００３８】
図４は、監視カメラから送信された無線を受信する受信機の回路構成を示すブロック図である。
該受信機６０は、監視カメラ２０とは別の場所に設置され、モニタ装置７０に接続され、又は、受信機として、モニタ装置を備える携帯通信端末装置等を使用する。
【００３９】
図４において、符号６１は、上述した送信機４０より送信されるＲＦ信号を受信する受信アンテナである。
符号６２はＢＰＦ（Band Pass Filter）、符号６３は該ＢＰＦ６２を通過したＲＦ信号を送受信する切替スイッチである。
符号６４はデジタル信号を送受信するトランシーバーである。
【００４０】
符号６５は送信機４０より送信された音声信号を出力するスピーカーアンプである。
符号６６はコーデック部７５において分離された映像信号を電力増幅し、映像信号をモニタ装置７０に送出するＶｉｄｅｏ ＡＭＰである。
符号６７は、チャンネルＳＷ６８の設定に基づいて復調の際の高周波を２．４〜２．４８３ＧＨｚの周波数範囲で切り替え制御するＭＣＵ（Micro Control Unit）である。尚、送信機４０側でのチャンネル指定と受信機６０側でのチャンネル指定は一致させておく必要がある。該ペアリング構成は周知技術なので、説明を省略する。
【００４１】
符号６９は商用電源より制御電圧ＤＣ５Ｖを発生する電源部である。また、符号７５は受信機６０の音声信号を増幅するマイクアンプである。
符号７７は無線ＬＡＮ７８を介して外部装置との通信接続制御を行うＬＡＮコントローラ、符号７６は該ＬＡＮコントローラ７７の動作を制御するＭＣＵ（Micro Control Unit）である。
このように、監視カメラ２０より受信した映像信号や音声信号を無線ＬＡＮ７８を介して外部装置としてのモニタ装置に送信することにより、監視カメラ２０と離れていても映像や音声による監視が可能となる。
【００４２】
上記した構成要素（電子部品）が実装された基板が図示しないケーシングに収納されて本考案の受信機６０を構成している。
【００４３】
以上説明した送信機４０を備える監視カメラ２０とモニタ装置７０を備える受信機６０により、本考案による監視カメラシステムが構成される。
【００４４】
以上、本実施形態の監視カメラシステムによれば、上述した監視カメラ２０の奏する効果に加え、送信機４０を有し、撮像映像の専用のモニタ装置を用いずに、携帯通信端末を使用して映像受信モニタ可能であるから、安価にシステム構築でき、且つ、映像と共に音声もモニタすることにより、より高度なセキュリティ性の確保が可能である。
【応用例２】
【００４５】
更に本考案の別の応用例について述べる。
応用例２は、応用例１の携帯通信端末を操作リモコンとし、カメラ本体のパン調整やチルト調整を可能としたものである。また、無線通信を使用して音声信号を双方向に送受信することができる構成としたものである。
その他の構成は他の実施例、応用例１と同様であるため説明は省略する。
【００４６】
携帯通信端末を操作リモコンとするために、無線通信可能な携帯通信端末に、本考案の操作を可能とするプログラムソフトをアプリケーションソフトウェアとしてインストールする。
【００４７】
該無線通信は、無線ＬＡＮ（Wi-Fi）やブルートゥース等を使用する。
尚、当該信号処理については周知であるので、その詳細については省略する。
【００４８】
接続部の構成として、該携帯通信端末からの信号を受信して接続部にカメラ本体を上下左右に位置変更するサーボやギアを設けてもよい。
【００４９】
本応用例によれば、無線通信により、携帯通信端末からカメラ本体のパン調整やチルト調整が可能であるので、ユーザの所望する範囲を監視することができる。これにより、より強固なセキュリティを図ることができる。
【００５０】
本考案の他の応用例としては、モーションセンサが侵入者を感知した場合に録画すると共にペアリングした携帯通信端末に警報を送るシステムや、音量センサを有し、一定音量を超えたら録画すると共にペアリングした携帯通信端末に警報を送るシステムとしても良い。
【００５１】
以上、本考案の実施形態では、シーリング型照明器具として、ダウンライト部について説明したが、シーリングライト、スライド式ライトについても勿論適用可能である。既存の照明器具の電源形式に合わせて対応させる。
例えば、給電ソケット２がローゼット型ソケットである場合は、接続プラグ３側もこれに対応できるローゼット型を使用し、スライド型ならスライド型に対応するソケットを使用することになる。
【実施例２】
【００５２】
次に図５を用いて実施例２について述べる。
実施例２は、実施例１の監視カメラ２０の電源を、電源コンセントから直接供給できる点が異なっている。その他の構成は実施例１、応用例と同様であるので省略する。ここで、電源コンセントとは、壁等に設けられるACコンセント（ACアウトレット）である。
【００５３】
本考案の監視カメラ３０は、実施例１の接続プラグ３に変えて、電源コンセントに直接接続される接続プラグ３５を備える構成である。他の構成は実施例１と同様であるため、省略する。
【００５４】
接続部についても、実施例１と同様であるので省略する。
【００５５】
本考案によれば、既設の電源コンセント（ACアウトレット）を利用することにより、監視カメラの設置と監視カメラへの電力供給を同時に行うことが可能であり、監視カメラの新設や設置位置の変更に対して簡単、且つ安価に対応することができる。
また、接続部によりカメラ本体のパン調整とチルト調整を可能とするので、ユーザの所望する撮像範囲を簡単に設定することができる。また、カメラ本体１０をボールジョイントで接続することにより、設置後の監視カメラ３０のパン調整、チルト調整が容易に行えるだけでなく、カメラ本体の微細な傾きの調整も可能となる。
【００５６】
本考案の実施形態では、電源線８は電源部ケース５の外側を通しているが、図６−ａ、図６−ｂに示すように内部を通してもよい。また、監視カメラ２０、監視カメラ３０との結合はコネクター式にしても良い。
【００５７】
本考案の実施形態では、電源コンセントとカメラ本体との接続部としてボールジョイントを用いて説明したが、接続部はそれに限定される事無く、カメラ本体のパン調整やチルト調整可能なものであれば全て含まれる。
【００５８】
一例として、以下のものが挙げられる。
【実施例３】
【００５９】
接続部の他の実施例として、図７−ａ、図７−ｂに示すように、電源部ケース５下部に、ボールジョイント固定ホルダーｂが固定されており、固定ホルダーｂの他端は、カメラ本体１０上部に固着する中空のボールジョイント軸９を、回動可能に支持する。該軸９を固定し又は調整可能とするために、ボールジョイント固定ノブａが軸９上方に設けられている。該軸９の中空部分には電源線８が内蔵されており、カメラ本体１０に給電している。
【実施例４】
【００６０】
また、他の接続部の実施例では、図８−ａ、図８−ｂに示すように、カメラ本体１０と接続プラグとの接続部に複数のボールジョイントが用いられ、可動域が拡大されている。
【００６１】
本実施例の監視カメラ２０の構成は、電源部ケース５の下部と、カメラ本体１０の上部にボールジョイント軸９を設け、各軸９に固定アームｃを被着し、該固定アームｃの中央にネジ式の固定ノブ５を有し、該固定ノブ５を締め付けることにより、固定アームｃと軸９に押圧力を与え固定している。カメラ本体１０のパン調整やチルト調整は、固定ノブａを緩め、固定アームｃと軸９の押圧力を弱め、カメラ本体１０を所望位置に調整する。調整後は固定ノブａを締め、固定アームｃと軸９に押圧力を与え固定する。
本実施例では、ボールジョイントを複数利用することにより、カメラ本体のパン調
整、チルト調整は基より、更に微細な傾きまで調節が可能となる。
また、ボールジョイントの代わりにリンク機構を組み合わせ、多関節アームとすることにより可動域を更に広げてもよい。
【実施例５】
【００６２】
また、他の実施例として、図９−ａ、図９−ｂに示すように電源部ケース５と回転可能に支持されるブラケットを接続部として用い、カメラ本体１０を該ブラケットで固定している。
本実施例の監視カメラの構成は、電源部ケース５下部と、パン方向へ回動可能に接続される吊り下げブラケットｄを有し、カメラ本体１０は、該吊り下げブラケットｄとカメラ本体の側面にて、チルト調整可能にブラケット固定ノブｅで支持している。
パン調整は、電源部ケース５下部の吊り下げブラケットｄにより調整し、チルト調
整は、ブラケット側面の固定ノブｅを緩め、調整する。
【実施例６】
【００６３】
また、他の実施例として、図１０−ａ、図１０−ｂ、図１０-ｃに示すように円筒形のカメラ本体ｉと電源部ケース５を片持ちブラケットｆで固定している。
円筒形のカメラ本体ｉにはチルト調整機構が設けられている。
片持ちブラケットｆは、円形の片持ちブラケット嵌合部Ｊが貫通可能な嵌合穴を有し、電源部ケース５下部と、パン調整可能に支持されている。
上記したカメラ本体部ｉは片持ちブランケットｆに挿入され、片持ちブラケット嵌合部Ｊは片持ちブランケットｆの嵌合穴に嵌合され、カメラ固定枠ｇをカメラ本体ｉに嵌め込むことで、カメラ本体部ｉを片持ちブラケットｆに固定する。
【実施例７】
【００６４】
また、他の実施例として、図１１−ａ、図１１−ｂ、図１１−ｃに示すように、カメラ本体をドーム形状とした構成を有している。  本実施例の監視カメラ１０の構成は、ドーム形状ケースｈと、該ドーム形状ケースｈとパン調整可能に支持される電源部ケース５と、該ドーム状ケースｈ内部に収容される車輪状のカメラ本体１0で構成される。ドーム形状ケースｈには、ドームの天頂から裾に至るまで、帯状の開口が設けられている。該開口の内部に車輪状のカメラ本体１０がドームケースｈ内部に備えられた回転軸で支持され、該カメラ本体１０を回転させてチルト調整をする。
【符号の説明】
【００６５】
１  ダウンライト部（シーリング型照明器具）
２  給電ソケット
３  接続プラグ
４  AC-DC変換回路部
５  電源部ケース
６  ボールジョイント固定ナット
７  ボールジョイント固定カバー
８  電源線
９  ボールジョイント軸
１０  カメラ本体
１１  カメラレンズ
１２  ＬＥＤ
１３  カメラ本体ケーシング
１４  ＬＥＤ表示灯
１５  マイクロホン
１６  スピーカー
１７  接続部
２０  監視カメラ
３０  監視カメラ
３５  接続プラグ
４０ 送信機
６０ 受信機
７０ モニタ装置
Ｓ 天井
a  ボールジョイント固定ノブ
b  ボールジョイント固定ホルダー  
c  ボールジョイント固定アーム
d  吊り下げブラケット  
e  ブラケット固定ノブ  
f  片持ちブラケット
g  カメラ固定枠
h  ドーム形状ケース
ｉ  円筒形カメラ本体
Ｊ  片持ちブラケット嵌合部
Ｋ  回転軸
【図９−ａ】
0003187773.tif 000003
【図９−ｂ】
0003187773.tif 000004
【図１０−ａ】
0003187773.tif 000005
【図１０−ｂ】
0003187773.tif 000006
【図１０−ｃ】
0003187773.tif 000007
【図１１−ａ】
0003187773.tif 000008
【図１１−ｂ】
0003187773.tif 000009
【図１】
0003187773.tif 000010
【図２】
0003187773.tif 000011
【図３】
0003187773.tif 000012
【図４】
0003187773.tif 000013
【図５】
0003187773.tif 000014
【図６−ａ】
0003187773.tif 000015
【図６−ｂ】
0003187773.tif 000016
【図７−ａ】
0003187773.tif 000017
【図７−ｂ】
0003187773.tif 000018
【図８−ａ】
0003187773.tif 000019
【図８−ｂ】
0003187773.tif 000020
【図１１−ｃ】
0003187773.tif 000021